(57)【要約】      （修正有）【課題】ボーディングブリッジを直接接続することができない機体に対して、乗客がボーディングブリッジを利用しながら搭乗することができるボーディングブリッジを提供する。【解決手段】ターミナルビルの乗降口に接続されたロタンダ１と、一端が上記ロタンダに接続された伸縮自在なトンネル部２と、前記トンネル部の他端開口部に設けた接地用スロープ６とを備えおり、ボーディングブリッジ、接地用スロープを利用して乗客はターミナルビルから機体の近くまでボーディングブリッジ内を歩いてゆくことができ、その後はエプロン上（地上）を歩行して機体エアステー８から搭乗することができる。【選択図】図２
0003116867.tif 000002
【実用新案登録請求の範囲】
【請求項１】
ターミナルビルの乗降口に接続されたロタンダと、一端が上記ロタンダに接続された伸縮自在なトンネル部と、前記トンネル部の他端開口部に設けた接地用スロープとを備えてなるボーディングブリッジ。
【請求項２】
前記接地用スロープは駆動機構により、格納状態から接地状態に位置を変えることができることを特徴とする請求項１に記載のボーディングブリッジ。
【請求項３】
前記伸縮自在なトンネル部は、駆動輪および駆動機構により格納状態と前方に傾斜した接地状態との２状態をとることができることを特徴とする請求項１または請求項２に記載のボーディングブリッジ。
【請求項４】
前記設置スロープは階段であることを特徴とする請求項１〜３の何れかに記載のボーディングブリッジ。
【考案の詳細な説明】
【技術分野】
【０００１】
本考案は、ボーディングブリッジに関し、特に、ボーディングブリッジを直接接続することができない機体に対して、乗客がボーディングブリッジを利用しながら搭乗することができるボーディングブリッジに関するものである。
【背景技術】
【０００２】
従来より、航空機の乗降装置として、ボーディングブリッジ（搭乗橋）がよく用いられている。ボーディングブリッジは空港のターミナルビルと航空機とを連絡するトンネル状の歩行通路であり、ターミナルビルと航空機との間での直接の乗り降りを可能にするものである（特許文献１）。
【０００３】
【特許文献１】特開２００３−２９１８９６
【０００４】
このボーディングブリッジは、一般に図４、図５に示すようにターミナルビルの乗降口に接続された正逆回転自在なロタンダ１０１と、ロタンダ１０１に接続された伸縮自在なトンネル部１０２と、トンネル部１０２の先端に設けられたキャブ１０３とを備えている。トンネル部１０２のやや先端側には、駆動輪１０４及び昇降機構（不図示）を有する支持脚としてドライブコラム１０５が設けられている。ドライブコラム１０５に設けた駆動輪１０４は左右走行輪がそれぞれ個々のモータ、減速機により駆動される構成となっており、これら駆動輪１０４及び昇降機構は、キャブ１０３の内部に乗り込んだ操作員によって操作される。そのため、キャブ１０３の内部には、上記駆動輪１０４及び昇降機構を操作するための操作パネル（不図示）が設置されている。
【０００５】
乗客の乗り降りの際には、キャブ１０３を航空機１０６のドア付近に移動させるために、ロタンダ１０１の回転、トンネル部１０２の伸縮及び昇降、並びにキャブ１０３の回転を行い、ボーディングブリッジを所定の待機位置から装着位置にまで移動させ、キャブ１０３を航空機１０６のドアに装着する。こうすることにより、航空機とターミナルビルとの間の直接の歩行移動が可能となる。一方、乗り降りが終了した後は、キャブ１０３を航空機１０６のドアから取り外し、ロタンダの回転、トンネル部の伸縮及び昇降、並びにキャブの回転を実行して、ボーディングブリッジを装着位置から待機位置にまで移動させる。
【０００６】
上記のように、ボーディングブリッジは通常ターミナルビルと機体とを直接接続できる場合に使用されるが、機体の構造上、ボーディングブリッジを直接機体に接続できない場合も多々ある。このような場合は、乗客は通常空港ビルから搭乗する飛行機まで直接エプロンを歩いてゆき、エアステーを利用して搭乗することになる（図１中の歩行経路参照）。
このため、雨天等の悪天候の場合には乗客は機体までの長い距離を傘をさしながら歩く必要があり、雨にぬれる等の問題がある上に、乗客へのサービス面でも改善の余地があった。
【０００７】
本考案は上記従来問題点を改善するために提案されたものであり、ボーディングブリッジを直接接続することができない機体に対して、乗客ができるだけボーディングブリッジ利用して機体ちかくまで歩行でき、またエプロン上の歩行距離をできるだけ短くしながら、機体に搭乗できる新しいタイプのボーディングブリッジを特徴としている。
【考案の開示】
【課題を解決するための手段】
【０００８】
このため、本考案が採用した技術解決手段は、
ターミナルビルの乗降口に接続されたロタンダと、一端が上記ロタンダに接続された伸縮自在なトンネル部と、前記トンネル部の他端開口部に設けた接地用スロープとを備えてなるボーディングブリッジである。
また、前記接地用スロープは駆動機構により、格納状態から接地状態に位置を変えることができることを特徴とするボーディングブリッジである。
また、前記伸縮自在なトンネル部は、駆動輪および昇降機構により格納状態と前方に傾斜した状態をとることができることを特徴とするボーディングブリッジである。
また、前記設置スロープは階段であることを特徴とするボーディングブリッジである。
【考案の効果】
【０００９】
本考案によれば、ボーディングブリッジを直接接続することができない機体に対して、乗客は可能な限りボーディングブリッジを利用（ボーディングブリッジ内を歩きながら）しながら、そして屋根などのないエプロン上を歩く距離を短くしながら機体に搭乗することができるため、雨天等の場合でも雨にぬれる機会が少なくなる。また、機体とボーディングブリッジの先端部とが接近すればするほど、乗客はエプロン上を歩く距離が短くなり、雨天などでも傘をささずに搭乗することが可能となるなど、極めて優れた作用効果を奏する。
【考案を実施するための最良の形態】
【００１０】
本ボーディングブリッジは、ターミナルビルの乗降口に接続されたロタンダと、一端が上記ロタンダに接続された伸縮自在なトンネル部と、前記トンネル部の他端開口部に設けた接地用スロープとを備えており、ボーディングブリッジ、接地用スロープを利用して乗客はターミナルビルから機体の近くまでボーディングブリッジ内を歩いてゆくことができ、その後はエプロン上（地上）を歩行して機体エアステーから搭乗することができる。
【実施例】
【００１１】
以下、本考案の実施例を図面に基づいて説明すると、図１は航空機とボーディングブリッジとの関係を説明する平面図、図２は同側面図、図３は図２の要部拡大図である。
【００１２】
図１〜図３において、ボーディングブリッジは、一般に図１、図２に示すようにターミナルビルの乗降口に接続されたロタンダ１と、ロタンダ１に接続された伸縮自在なトンネル部２を備えている。トンネル部２のやや先端側には、駆動輪４及び昇降機構（不図示）を有する支持脚としてドライブコラム３が設けられている。また、本例のボーディングブリッジは従来ボーディングブリッジが備えているキャブを省いた構造となっている。ドライブコラム３に設けた駆動輪４は左右走行輪がそれぞれ個々のモータ、減速機により駆動される構成となっており、これら駆動輪及び昇降機構は、図示せぬ適宜の操作盤からの指令により操作される。操作盤は有線または無線で駆動輪や昇降機構に接続され遠隔操作できるようになっているが、ボーディングブリッジの先端開口部近辺に小さな操作盤を配置することもできる。また、本ボーディングブリッジはキャブを省略したトンネル部の先端開口下端に、図３に示すように折り畳み自在な接地用スロープ６がヒンジ連結７されている。そしてこの接地用スロープ６は図示せぬ油圧シリンダ、電動モータ等の適宜駆動機構により、図３に示すようにスロープ収納状態とスロープ使用状態とに起倒することができる構成となっている。
【００１３】
上記構成からなるボーディングブリッジは以下のように使用される。
ターミタルビルの近くに駐機した機体９のエアステー８にむけて、ドライブコラム３によりボーディングブリッジを旋回、伸長操作する。この操作によりボーディングブリッジの先端をできるだけエアステーに近づけて設置する。この状態で駆動機構を操作してボーディングブリッジの先端に設けた接地用スロープ６を前方に倒し、接地させる。
【００１４】
設置されたボーディングブリッジ、接地用スロープ６を利用して乗客はターミナルビルから機体の近くまで歩いてゆくことができ、その後はエプロン上（地上）を歩行して機体エアステー８から搭乗することになる。この結果、雨天等の悪天候であっても、エプロン上を歩く距離が短くなり乗客は雨等に濡れる機会が少なくなり、搭乗が容易となる。
【００１５】
なお、ボーディングブリッジの先端に設ける接地用スロープ６は階段構造でもよく、傾斜面でもよい。また、ボーディングブリッジの先端は必ずしも図２に示すように地面に近づけて設置する必要はなく、やや高いところで停止し、そこからは階段状のスロープを利用して地上に降りることができるようにしてもよい。このようにすると、従来公知のボーディングブリッジにおいて、キャブの開口部に、階段状のスロープを設けることで、上記実施例と同様の作用効果を得ることができ、この結果、キャブのあるボーディングブリッジでも本考案を実施することが可能となる。
【００１６】
さらに、本考案はその精神又は主要な特徴から逸脱することなく他の色々な形で実施することができ、また、前述の実施例はあらゆる点で単なる例示に過ぎず、限定的に解釈してはならない。
【産業上の利用可能性】
【００１７】
本考案は、空港建物と航空機を連絡するボーディングブリッジに関するものであり、直接機体にボーディングブリッジに接続できないような場合に利用できる。
【図面の簡単な説明】
【００１８】
【図１】航空機とボーディングブリッジとの関係を説明する平面図である。
【図２】図１の側面図である。
【図３】図２の要部拡大図である。
【図４】従来のボーディングブリッジの側面図である。
【図５】従来のボーディングブリッジの利用状態を示す側断面図である。
【符号の説明】
【００１９】
１          ロタンダ
２          トンネル部
３          ドライブコラム
６          接地用スロープ
７          ヒンジ連結
８          エアステー
９          機体
【図１】
0003116867.tif 000003
【図２】
0003116867.tif 000004
【図３】
0003116867.tif 000005
【図４】
0003116867.tif 000006
【図５】
0003116867.tif 000007